(57)【要約】  【課題】システムキッチンの一画でスペースを有効利用した引き出し冷蔵庫を提供することを目的とする。  【解決手段】システムキッチンの一画に設置される引き出し冷蔵庫であって、前面を開口した収納部１５の左右どちらか一方に収納部１５を冷却するための冷却ユニット１８を集中配置し、収納部１５は、固定レール２８Ａと中間レール２８Ｂ、可動レール２８Ｃとからなるレール機構を左右の内側壁に備え、収納部１５の前面開口部を開閉する引き出し式の断熱扉１７の内面には、ガイドレール３５が固定され、収納ケース２７を備えたことにより、システムキッチンの奥面にデッドスペースがある区画においても、奥行き方向の収納スペースを確保し、使い勝手の向上を図ることができる。【選択図】図２
2006010205.tif 000002
【特許請求の範囲】
【請求項１】
システムキッチンの一画に設置される引き出し冷蔵庫であって、前面を開口した貯蔵室の左右どちらか一方に前記貯蔵室を冷却するための冷却ユニットを集中配置し、前記貯蔵室は、固定レールと前後方向にスライド可能に前記固定レールに支持される中間レール、可動レールとからなるレール機構を左右の内側壁に備え、前記貯蔵室の前面開口部を開閉する引き出し式の扉の内面には、前記レール機構と係合して前記扉の引き出しができるように前記扉を支持する受枠が固定され、前記受枠には上面を開口した容器が載せられたことを特徴とするシステムキッチン組み込み式冷蔵庫。
【請求項２】
冷却ユニットを収納する機械室の前面に前記冷却ユニットの放熱部を冷却する空気の吸い込み口を設け、前記機械室と連通して前記冷却ユニットの放熱器と熱交換した空気を前記貯蔵室の下部から前方に排出する排気ダクトを前記貯蔵室の下部に設けたことを特徴とする請求項１記載のシステムキッチン組み込み式冷蔵庫。
【請求項３】
貯蔵室の断熱材内に真空断熱材を埋設した事を特徴とする請求項１または２に記載のシステムキッチン組み込み式冷蔵庫。
【請求項４】
吸い込み口と放熱器間の空間に埃除去用のフィルターを設け、前記フィルターの後方に冷蔵庫の電源を入り切りできるスイッチを設けたことを特徴とする請求項１から３のいずれか一項に記載のシステムキッチン組み込み式冷蔵庫。
【請求項５】
機械室部内の電気部品は、独立して前方に引き出せることを特徴とする請求項１から４のいずれか一項に記載のシステムキッチン組み込み式冷蔵庫。
【請求項６】
排気ダクト内には水受け皿を設けたことを特徴とする請求項１から５のいずれか一項に記載のシステムキッチン組み込み式冷蔵庫。
【請求項７】
冷却ユニットにペルチェ素子を利用した電子式冷蔵庫としたことを特徴とする請求項１から６のいずれか一項に記載のシステムキッチン組み込み式冷蔵庫。
【発明の詳細な説明】
【技術分野】
【０００１】
本発明はシステムキッチンの一区画の空間に収納できるよう構成した冷蔵庫の収納形態及びその構成に関するものである。
【背景技術】
【０００２】
従来システムキッチン等に収納される機器としては、電気式レンジオーブン・テーブル、ガス式オーブン・テーブル、食器洗い乾燥機、生ごみ処理機等が主なものである。特に最近は食器洗い乾燥機でも、ボックス状の収納部が引き出し式であるものが主流となり、収納部についても、上段から下段まで引き出し式の収納部となっている。
【０００３】
また、システムキッチンの一区画に保冷庫を設置しているものもある（例えば、特許文献１参照）。
【０００４】
図７は、特許文献１に記載されたシステムキッチン用の保冷庫を示すものである。図７に示すように、台所収納体の組付け空間１に組み込まれる外ケース２に出し入れされる容器状の収納体３と、ペルチェ素子４、送風ファン５、及び熱交換器６等で構成し、ペルチェ素子４、送風ファン５、及び熱交換器６等の冷却ユニットを容器状の収納体３の奥部に配置し、保冷庫の左右に熱交換器用の空気導入経路７と排気経路８を配設している。
【０００５】
上記構成により、容器状の収納体３を周囲温度より低い温度にした保冷庫としてシステムキッチンの収納部の一部に配設することで、使い勝手の向上を図っている。また、保冷庫の左右に熱交換器用の空気導入経路７と排気経路８を配設することでシステムキッチンの収納部に収まった状態でも吸排気スペースを確保できるものである。
【特許文献１】特開２００３―１６１５６５号公報
【発明の開示】
【発明が解決しようとする課題】
【０００６】
しかしながら、上記従来構成では、シンク下に設置した場合、奥側にシンク用の給排水管がある為、冷却ユニットを収納空間の奥側に設けると奥行きの少ない収納部となり、また機械室の吸排気口を左右に設置すると十分に収納スペースが確保されない課題を有していた。
【０００７】
本発明は、上記従来の課題を解決するもので、システムキッチンの一画でスペースを有効利用した引き出し冷蔵庫を提供することを目的とする。
【課題を解決するための手段】
【０００８】
上記従来の課題を解決するために、本発明の冷蔵庫は、システムキッチンの一画に設置される引き出し冷蔵庫であって、前面を開口した貯蔵室の左右どちらか一方に前記貯蔵室を冷却するための冷却ユニットを集中配置し、前記貯蔵室は、固定レールと前後方向にスライド可能に前記固定レールに支持される中間レール、可動レールとからなるレール機構を左右の内側壁に備え、前記貯蔵室の前面開口部を開閉する引き出し式の扉の内面には、前記レール機構と係合して前記扉の引き出しができるように前記扉を支持する受枠が固定され、前記受枠には上面を開口した容器が載せられたものである。
【０００９】
これによって、システムキッチンの奥面にデッドスペースがある区画においても、奥行き方向の収納スペースを確保することができる。
【００１０】
また、固定レールと中間レールと可動レールとからなるレール機構により、引き出し式の冷蔵収納庫の操作性を高めることができる。
【発明の効果】
【００１１】
本発明の冷蔵庫は、システムキッチン内の限られた空間において、システムキッチンの枠内に簡単にビルトイン設置でき、使い勝手のよい、また奥行き方向の収納量を確保した冷蔵収納スペースを提供することができる。
【発明を実施するための最良の形態】
【００１２】
請求項１に記載の発明は、システムキッチンの一画に設置される引き出し冷蔵庫であって、前面を開口した貯蔵室の左右どちらか一方に前記貯蔵室を冷却するための冷却ユニットを集中配置し、前記貯蔵室は、固定レールと前後方向にスライド可能に前記固定レールに支持される中間レール、可動レールとからなるレール機構を左右の内側壁に備え、前記貯蔵室の前面開口部を開閉する引き出し式の扉の内面には、前記レール機構と係合して前記扉の引き出しができるように前記扉を支持する受枠が固定され、前記受枠には上面を開口した容器が載せられたものであり、システムキッチンの奥面にデッドスペースがある区画においても、奥行き方向の収納スペースを確保することができ、使い勝手のよい冷蔵収納スペースを提供することができる。また、固定レールと中間レールと可動レールとからなるレール機構により、引き出し式の冷蔵収納庫の操作性を高めることができる。
【００１３】
請求項２に記載の発明は、請求項１に記載の発明において、冷却ユニットを収納する機械室の前面に前記冷却ユニットの放熱部を冷却する空気の吸い込み口を設け、前記機械室と連通して前記冷却ユニットの放熱器と熱交換した空気を前記貯蔵室の下部から前方に排出する排気ダクトを前記貯蔵室の下部に設けたものであり、冷却ユニットの放熱スペースを効率的に確保でき、収納スペースの設計効率が高まり使い勝手が向上する。
【００１４】
請求項３に記載の発明は、請求項１または２に記載の発明において、貯蔵室の断熱材内に真空断熱材を埋設したものであり、壁厚を薄くすることで収納スペースの設計効率が高まり使い勝手が向上する。
【００１５】
請求項４に記載の発明は、請求項１から３のいずれか一項に記載の発明において、吸い込み口と放熱器間の空間に埃除去用のフィルターを設け、前記フィルターの後方に冷蔵庫の電源を入り切りできるスイッチを設けたものであり、放熱器、ファンモーター、基板への埃の付着を抑制し放熱器の放熱能力を長期間維持できる。またスイッチは、冬場等冷蔵庫が不要になったときは、電源を切ることにより冷蔵庫は停止するので電気代を押えることができる。
【００１６】
請求項５に記載の発明は、請求項１から４のいずれか一項に記載の発明において、機械室部内の電気部品は、独立して前方に引き出せるものであり、冷蔵庫全体を引き出さずにメンテナンスすることができる。
【００１７】
請求項６に記載の発明は、請求項１から５のいずれか一項に記載の発明において、排気ダクト内には水受け皿を設けたものであり、冷却器に付着した水分を排気ダクト内の比較的温度の高い空気の対流で蒸発させることができる。また、省スペース化を図ることができる。
【００１８】
請求項７に記載の発明は、請求項１から６のいずれか一項に記載の発明において、冷却ユニットにペルチェ素子を利用した電子式冷蔵庫としたものであり、省スペース、静音化を図ることができる。
【００１９】
以下、本発明の実施の形態について、図面を参照しながら説明する。なお、実施の形態によってこの発明が限定されるものではない。
【００２０】
（実施の形態１）
図１は、本発明の実施の形態１におけるシステムキッチン組立時の冷蔵庫の斜視図、図２は同実施の形態のシステムキッチン組み込み式冷蔵庫を前面に引き出したときの斜視図、図３は同実施の形態のシステムキッチン組み込み式冷蔵庫の部分斜視図、図４は同実施の形態のシステムキッチン組み込み式冷蔵庫の冷却ユニットの断面図、図５は同実施の形態のシステムキッチン組み込み式冷蔵庫の機械室の上面斜視図、図６は同実施の形態のシステムキッチン組み込み式冷蔵庫の収納部を引き出したときの斜視図である。
【００２１】
図１において、システムキッチンは奥行き・幅・高さなどで様々な種類があり、調理などをするワークトップ９はシステムキッチンの外枠１０の上部に構成されており、ワークトップにはシンク１１、その下に引き出し収納スペース１２、その下に本発明のシステムキッチン組み込み式冷蔵庫１３を備えている。システムキッチン組み込み式冷蔵庫１３の前面には、化粧板１４Ａ、吸込み口付き化粧板１４Ｂが構成されている。このような構成をすることにより、システムキッチンの外観を損なわずにシステムキッチン組み込み式冷蔵庫１３を組み込むことができる。
【００２２】
また、図２において、システムキッチン組み込み式冷蔵庫１３は、大きくは収納部１５と収納部１５の側面に配置した機械室１６Ａとよりなる。収納部１５の壁面は断熱材で構成され、収納部１５の前面には断熱扉１７があり断熱扉１７にはシステムキッチン外観を統一するために意匠パネルドア１４Ａが取り付けられている。機械室部１６Ａの前面には吸込みグリル１４Ｃを一体成形した吸込み口付き化粧板１４Ｂが取り付けられている。
【００２３】
また、図３において、機械室１６Ａは、冷却ユニット１８の放熱器１９、ファンモーター２０、電源制御基板２１、蒸発皿２２で構成されている。また、放熱器１９で熱交換した空気を外部に排出するための排気ダクト１６Ｂを収納部１５の下部に設けている。また、蒸発皿２２は機械室１６Ａの下部で排気ダクト１６Ｂに連通するダクト内に配置されている。収納部１５の庫内２３には、冷却ユニット１８の冷却器２４と庫内２３を分ける庫内カバー２５、庫内攪拌用ファンモーター２６、収納ケース２７を前後方向にスライドさせるレール２８を収納部１５の内部両側面に設けている。レール２８は固定レール２８Ａと、可動レール２８Ｃと、固定レール２８Ａと可動レール２８Ｃの両方に摺動可能な摺動部材たとえばローラーを備えた中間レール２８Ｂとで構成され、固定レール２８Ａと中間レール２８Ｂと可動レール２８Ｃは、あらかじめ組み込まれた状態でレール２８を構成し、収納部１５の内部両側面に固定される。
【００２４】
また、収納部１５の断熱壁内の上面と下面には、真空断熱材２９Ａ、２９Ｂが埋設されている。
【００２５】
また、機械室１６Ａ内のファンモーター２０と電源制御基板２１を一体にして収納部１５とは独立して前方に引き出し可能としている。
【００２６】
また、図４において、冷却ユニット１８はペルチェ素子３０、冷却器２４とペルチェ素子３０の熱交換をさせるためのヒートコンダクター３１、ペルチェ素子３０によって出された熱を排熱するための高温側の放熱器１９、冷却器２４、ペルチェ素子３０、ヒートコンダクター３１、放熱器１９を連結するケースコンダクター３２とで構成されている。
【００２７】
また、図５において、放熱器１９の前方には埃除去用のフィルター３３が設置されており、このフィルター３３は放熱器１９、ファンモーター２０、電源制御基板２１への埃，油分の付着を防ぐ役割をしている。フィルター３３の後方には、スイッチ３４が設置されており、冬季や長期外出等冷蔵庫を使用しない場合はこのスイッチ３４でシステムキッチン組み込み式冷蔵庫１３を停止させることができる。
【００２８】
また、図６において、断熱扉１７には収納ケース２７を上方より載置し側面で支持するガイドレール３５があり、ガイドレール３５と移動レール２８Ｃとは連結固定されている。
【００２９】
上記構成により、システムキッチン組み込み式冷蔵庫１３の機械室１６Ａが収納部１５の側面に配置しているので、システムキッチン組み込み式冷蔵庫１３を配置する一画の奥面にシンク１１に連通する配管等を有するデッドスペースがある区画においても、奥行き方向の収納スペースを確保することができ、使い勝手が向上する。
【００３０】
また、レール２８は固定レール２８Ａと、可動レール２８Ｃと、固定レール２８Ａと可動レール２８Ｃの両方に摺動可能な摺動部材たとえばローラーを備えた中間レールとで構成され、固定レール２８Ａと中間レールと可動レール２８Ｃは、あらかじめ組み込まれた状態でレール２８を構成し、収納部１５の内部両側面に固定されるので、レール２８を構成する固定レール２８Ａと中間レールと可動レール２８Ｃのクリアランスを最小限に抑えることができ、これにより断熱扉１７の前後方向の引き出し、収納がスムーズに行うことができるので、引き出し式の冷蔵収納庫の操作性を高めることができる。特に庫内を冷やすものにおいては、残った食品を容器に入れて保存する場合もあるが、スムーズな操作性により、庫内にこぼすこともない。つまり、冷蔵庫における一般的な引き出し扉の組込方法は、可動レールを扉にあらかじめ取り付けて、庫内の側面に設けた固定レールに組み込む方法がとられるが、この場合、組み込み、あるいは取り外しを考慮して固定レールと可動レールとの間には所定のクリアランスを設定しており、このクリアランスによりガタツキが生じるが、本発明の場合は、ガタツキがほとんどなくスムーズな操作が可能となるものである。
【００３１】
また、機械室部１６Ａの前面には吸込みグリル１４Ｃを一体成形した吸込み口付き化粧板１４Ｂが取り付けられ、放熱器１９で熱交換した空気を外部に排出するための排気ダクト１６Ｂを収納部１５の下部に設けているので、冷却ユニットの放熱スペースを効率的に確保でき、収納スペースの設計効率が高まり使い勝手が向上する。
【００３２】
また、収納部１５の断熱壁内の上面と下面には、真空断熱材２９Ａ、２９Ｂが埋設されているので、壁厚を薄くすることで収納スペースの設計効率が高まり使い勝手が向上する。
【００３３】
また、放熱器１９の前方には埃除去用のフィルター３３が設置され、システムキッチン組み込み式冷蔵庫１３を停止させることができるスイッチ３４をフィルター３３の後方に設けているので、放熱器１９、ファンモーター２０、電源制御基板２１への埃の付着を抑制し放熱器１９の放熱能力を長期間維持できる。またスイッチ３４は、冬場等冷蔵庫が不要になったときは、電源を切ることにより冷蔵庫は停止するので電気代を押えることができる。
【００３４】
また、機械室１６Ａ内のファンモーター２０と電源制御基板２１を一体にして収納部１５とは独立して前方に引き出し可能としているので、冷蔵庫全体を引き出さずにメンテナンスすることができ、サービス性が向上する。
【００３５】
また、蒸発皿２２は機械室１６Ａの下部で排気ダクト１６Ｂに連通するダクト内に配置されているので、冷却器に付着した水分を排気ダクト内の比較的温度の高い空気の対流で蒸発させることができる。また、省スペース化を図ることができる。
【００３６】
また、冷却ユニット１８にペルチェ素子３０を適用しているので、設定により保冷庫や乾燥庫、温蔵庫としても使用することができる。
【産業上の利用可能性】
【００３７】
以上のように、本発明にかかる冷蔵庫は、限られた空間を有効に活用できるので収納庫などのビルトイン機器にも適用できる。
【図面の簡単な説明】
【００３８】
【図１】本発明の実施の形態１におけるシステムキッチン組立時の冷蔵庫の斜視図
【図２】同実施の形態のシステムキッチン組み込み式冷蔵庫を前面に引き出したときの斜視図
【図３】同実施の形態のシステムキッチン組み込み式冷蔵庫の部分斜視図
【図４】同実施の形態のシステムキッチン組み込み式冷蔵庫の冷却ユニットの断面図
【図５】同実施の形態のシステムキッチン組み込み式冷蔵庫の機械室の上面斜視図
【図６】同実施の形態のシステムキッチン組み込み式冷蔵庫の収納部を引き出したときの斜視図
【図７】従来のシステムキッチン組み込み式保冷庫の斜視図
【符号の説明】
【００３９】
１３  システムキッチン組み込み式冷蔵庫
１５  収納部
１６Ａ  機械室
１６Ｂ  排気ダクト
１７  断熱扉
１８  冷却ユニット
１９  放熱器
２０  ファンモーター
２１  電源制御基板
２２  蒸発皿
２７  収納ケース
２８  レール
２８Ａ  固定レール
２８Ｂ  中間レール
２８Ｃ  可動レール
２９Ａ，２９Ｂ  真空断熱材
３０  ペルチェ素子
３３  フィルター
３４  スイッチ
３５  ガイドレール
【図１】
2006010205.tif 000003
【図２】
2006010205.tif 000004
【図３】
2006010205.tif 000005
【図４】
2006010205.tif 000006
【図５】
2006010205.tif 000007
【図６】
2006010205.tif 000008
【図７】
2006010205.tif 000009